(57)【要約】【課題】払出の硬貨を1箇所に集めることなく、ある程度広い範囲に分散させて、お客様が払出硬貨を目視で確認できるようにするものである。【解決手段】硬貨収納部を内部に有する装置本体と、前記装置本体の端部に形成された硬貨の払い出しを行う硬貨払出口と、前記装置本体の端部で前記硬貨払出口の下方部位に形成され、硬貨の取り出し側となる前側側面と、前記硬貨払出口に連なる後側斜面と、左右の側面である左側斜面および右側斜面と、これら前側側面および後左右側斜面の下端部で連結する平坦な底面とからなる硬貨払出受部とを備える。【選択図】図３
2012198737.tif 000002
【特許請求の範囲】
【請求項１】
硬貨収納部を内部に有する装置本体と、
前記装置本体の端部に形成された硬貨の払い出しを行う硬貨払出口と、
前記装置本体の端部で前記硬貨払出口の下方部位に形成され、硬貨の取り出し側となる前側側面と、前記硬貨払出口に連なる後側斜面と、左右の側面である左側斜面および右側斜面と、これら前側側面および後左右側斜面の下端部で連結する平坦な底面とからなる硬貨払出受部と、
を備える硬貨入出金装置。
【請求項２】
前記硬貨払出受部の前側側面は、円弧状の斜面で形成したことを特徴とする請求項1記載の硬貨入出金装置。
【請求項３】
硬貨収納部を内部に有する装置本体と、
前記装置本体の端部に形成された硬貨の払い出しを行う硬貨払出口と、
前記装置本体の端部で前記硬貨払出口の下方部位に形成され、硬貨の取り出し側となる前側側面と、前記硬貨払出口に連なる後側斜面と、左右の側面である左側斜面および右側斜面と、これら前側側面および後左右斜面の下端部で連結する平坦な底面とからなる硬貨払出受部と、
前記硬貨払出受部の平坦な底面の両側に配設され、底面上の残留硬貨の有無を検出する残留硬貨検出部と、
前記残留硬貨検出部が前記硬貨払出受部の底面上に残留硬貨の存在を検出すると硬貨の取り忘れをお客様に知らせる報知部と、
を備える硬貨入出金装置。
【発明の詳細な説明】
【技術分野】
【０００１】
本発明の実施形態は硬貨入出金装置に関する。
【背景技術】
【０００２】
従来、ＰＯＳ端末やＥＣＲ等の電子機器に接続して使用するのに適した硬貨入出金装置として、１円，５円，１０円，５０円，１００円，５００円等の硬貨を判別し、金種毎に収納し、ＰＯＳ端末やＥＣＲからの釣り銭の払い出し指令により、硬貨収納部内の硬貨を釣り銭額だけ硬貨払出部に払い出すようにしたものが知られている。
【先行技術文献】
【特許文献】
【０００３】
【特許文献１】実公平３−４８６７５号公報
【発明の概要】
【発明が解決しようとする課題】
【０００４】
しかしながら、このような硬貨入出金装置において、特にお客様自身が会計処理を行うセルフレジでは、お釣りの取り忘れが起こる場合がある。そこで、お客様がお釣りを取り忘れて会計を終了してしまうことを防止するため、硬貨払出部の受け皿の中央部を凹形状に形成して硬貨を1箇所に集めるようにしている。この場合、お客様はお釣りの金額を目視で確認することが難しく、しかも、硬貨を受け皿の中央部に集めるためには払出落差が大きい方が有利であるため、装置の高さを高くする必要があり、装置のサイズが大きくなってしまうという問題があった。
【０００５】
そこで、本発明が解決しようとする課題は、払出の硬貨を1箇所に集めることなく、ある程度広い範囲に分散させて、お客様が払出硬貨を目視で確認できるようにしたものである。
【課題を解決するための手段】
【０００６】
本発明の実施形態における硬貨入出金装置は、硬貨収納部を内部に有する装置本体と、前記装置本体の端部に形成された硬貨の払い出しを行う硬貨払出口と、前記装置本体の端部で前記硬貨払出口の下方部位に形成され、硬貨の取り出し側となる前側側面と、前記硬貨払出口に連なる後側斜面と、左右の側面である左側斜面および右側斜面と、これら前側側面および後左右側斜面の下端部で連結する平坦な底面とからなる硬貨払出受部とを備える。
【図面の簡単な説明】
【０００７】
【図１】実施形態の硬貨入出金装置の外観斜視図。
【図２】実施形態の硬貨入出金装置の要部の斜視図。
【図３】硬貨払出受部の概略の平面図。
【図４】硬貨払出受部の前後方向の断面図。
【図５】硬貨払出受部の左右方向の断面図。
【発明を実施するための形態】
【０００８】
以下、実施形態の硬貨入出金装置を図面を参照して説明する。
【０００９】
図１は、実施形態の硬貨入出金装置の外観斜視図である。図１に示すように、硬貨入出金装置１は、前後方向と比較して左右幅方向に狭い長さで、所定高さの装置本体２を備えている。装置本体２の上面で手前側右側部には、複数枚の硬貨を同時に投入可能な硬貨投入口３が形成されている。そして、この硬貨投入口３の左側部には、ディスプレイ４および複数の操作ボタンを備えた操作パネル５が設けられている。
【００１０】
図２は、硬貨入出金装置の要部の斜視図である。図２に示すように、装置本体２の前面のディスプレイ４に近接した位置には硬貨払出口６が形成されている。そして、この硬貨払出口６の下方部位には、装置本体内より払出された硬貨を受ける硬貨払出受部７が設けられている。また、硬貨投入口３に近接した位置には、一旦投入された硬貨を返却するための返却口（図示しない）が形成されている。
【００１１】
さらに、装置本体２の内部には、金種別硬貨収納部（図示しない）が備えられていて、硬貨投入口３に投入された硬貨は、装置本体２内部で一時保留され、金額が確定された後に、金種別硬貨収納部に金種別に収納される。その時の投入金額は、ディスプレイ４に表示されるようになっている。このディスプレイ４には、投入金額および硬貨入出金装置１としての作動状態や操作指示なども表示できる。
【００１２】
次に、硬貨入出金装置１の硬貨払出口６から出金された硬貨が載置される硬貨払出受部７の形状構造と、この硬貨払出受部７に設けられる残留硬貨検出部１０について説明する。
【００１３】
図３は、硬貨払出受部７の概略の平面図、図４は、硬貨払出受部７の前後方向の断面図、図５は、硬貨払出受部７の左右方向の断面図である。図３ないし図５に示すように、硬貨払出受部７は、レジ担当者、或いはセルフレジにおいては顧客等、払い出しを受けるユーザの手前側であり硬貨取り出し側となる前側側面７ａと、硬貨払出口６に連なる後側斜面７ｂと、左右側面である左側斜面７ｃおよび右側斜面７ｄと、これら前側側面７ａおよび後左右側斜面７ｂ，７ｃ，７ｄの下端部を連結する平坦な水平底面７ｅとを備えている。
【００１４】
前側側面７ａは上端から下端に向かって狭まる円弧状の斜面で形成され、後側斜面７ｂ、左側斜面７ｃおよび右側斜面７ｄは全て上端から下端に向かって斜めに狭まる傾斜面で形成されている。したがって、硬貨払出受部７として上端部が広い開口部となり、底部である水平底面７ｅと連結する部位の下端部が狭まっている。
【００１５】
よって、硬貨払出口６から出金される硬貨Ａは、硬貨払出受部７の後側斜面７ｂをシュートとして滑落し、水平底面７ｅ上に載置される。なお、硬貨払出受部７の前側側面７ａ、左側斜面７ｃおよび右側斜面７ｄは、硬貨払出口６から払い出された硬貨が跳ね返って外部へ落下することがないように、適宜な深さ寸法に設定されている。
【００１６】
水平底面７ｅの左右幅寸法は、成人男子の片手の手指（親指を除く）に合わせて形成されており、余裕を持って手指を挿入できる。そして、払い出された硬貨が1箇所に集まることなく、適度な範囲に分散するように最適な面積に設定されている。前側側面７ａの円弧状の斜面は、水平底面７ｅから硬貨を容易に、かつ簡単に取り出せるよう最適な形状に形成されている。
【００１７】
したがって、払出しを受けるお客様は、硬貨払出受部７内の水平底面７ｅ上の硬貨を目視により確認でき、しかも、手前側に掻き集められた硬貨は前側側面の円弧状の斜面を利用して取り出される。よって、硬貨の取り出しが容易にできるとともに、硬貨の取り忘れも防止される。
【００１８】
それでもなお、硬貨払出受部７に残留硬貨が存在する場合に備えて、図３および図５に示すように、硬貨払出受部７には複数の発光側スリット８および受光側スリット９と、残留硬貨検出部１０が設けられている。
【００１９】
具体的には、硬貨払出受部７を構成する左側斜面７ｃの最下部で水平底面７ｅと接する部位に、前後方向に所定間隔を存して複数（３個）の発光側スリット８が開口されている。また、各発光側スリット８と相対向する部位である、右側斜面７ｄの最下部で水平底面７ｅと接する部位に、複数（３個）の受光側スリット９が開口されている。
【００２０】
発光側スリット８と受光側スリット９ともに、その最下端部が硬貨払出受部７の水平底面７ｅと一致するよう設けられている。この最下端部に対して上端部が平行、左右両側部が互いに平行であり、矩形状の開口部をなす。そして、上下方向寸法よりも左右幅方向寸法がある程度長く形成されている。これら発光側スリット８および受光側スリット９の形状は、必ずしも上述のように限定する必要はないが、左側斜面７ｃと右側斜面７ｄにおいて互いに同一位置に設け、同一形状にしたほうが制作上有利である。
【００２１】
硬貨払出受部７の左側斜面７ｃ外側の空間スペースには、発光センサ１１（発光素子）が配置され、この発光センサ１１の発光面は発光側スリット８に向けている。また、硬貨払出受部７の右側斜面７ｄ外側の空間スペースには、受光センサ１２（受光素子）配置され、この受光センサ１２の受光面は受光側スリット９に向けている。これらの発光センサ１１と受光センサ１２は、センサ取付け板１３ａと１３ｂにそれぞれ支持され、バスライン（図示しない）を介して制御部（図示しない）に電気的に接続されている。この３組の発光センサ１１と受光センサ１２で、残留硬貨検出部１０が構成される。
【００２２】
発光センサ１１から発せられる光の光軸１４は、発光側スリット８を介して水平底面７ｅ上を進む。そして、光軸１４は、水平底面７ｅを横断し、発光側スリット８と相対向する受光側スリット９に至り、この受光側スリット９を介して受光センサ１２に到達し、受光センサ１２で受光されるようになっている。したがって、図示しない制御部では、残留硬貨検出部１０における受光センサ１２からの出力をもとに、水平底面７ｅ上に載置された硬貨で光軸１４が遮られているか否かを検出することで、硬貨払出受部７上の硬貨の有無を検出する。そして、この制御部が、硬貨払出受部７上に残留硬貨の存在を検出すると、硬貨の取り忘れがあることをお客様に対して報知部（図示しない）等により知らせる。
【００２３】
以上、説明したように、本実施形態の硬貨入出金装置によれば、硬貨払出受部は、硬貨の取り出し側となる前側側面と、硬貨払出口に連なる後側斜面と、左右の側面である左側斜面および右側斜面と、これら前側側面および後左右側斜面の下端部で連結する平坦な底面とで構成されており、払出の硬貨を1箇所に集めることなく、ある程度広い範囲に分散させて、お客様が払出硬貨を目視で確認できるようにしたものである。
【００２４】
本発明の実施形態を説明したが、この実施形態は、例として提示したものであり、発明の範囲を限定することは意図していない。この実施形態は、その他の様々な形態で実施されることが可能であり、発明の趣旨を逸脱しない範囲で、様々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２５】
１              硬貨入出金装置
２              装置本体
３              硬貨投入口
４              ディスプレイ
５              操作パネル
６              硬貨払出口
７              硬貨払出受部
７ａ            前側側面
７ｂ            後側斜面
７ｃ            左側斜面
７ｄ            右側斜面
７ｅ            水平底面
８              発光側スリット
９              受光側スリット
１０            残留硬貨検出部
１１            発光センサ
１２            受光センサ
１３ａ，１３ｂ  センサ取付け板
１４            光軸
Ａ              硬貨
【図１】
2012198737.tif 000003
【図２】
2012198737.tif 000004
【図３】
2012198737.tif 000005
【図４】
2012198737.tif 000006
【図５】
2012198737.tif 000007